(57)【要約】【課題】フィニッシャパネルに設けた外周縁による影の面積を抑えて、表示パネルに与える遠近感を抑えることが可能なディスプレイ装置を提供すること。【解決手段】表示領域１１の外周を囲む外枠部１２を備えた表示パネルとしての液晶パネル１０と、液晶パネル１０の正面方向を覆って設けられた透光性を有するフィニッシャパネル２０と、フィニッシャパネル２０に設けられ、液晶パネル１０の正面方向から見て、液晶パネル１０の表示領域１１を囲むように配置して設けられた外周縁３０と、を備え、外周縁３０は、フィニッシャパネル２０の表面２０ａに設けられて外周縁３０の外周側部分を形成する第１縁部３１と、フィニッシャパネル２０の裏面に設けられて外周縁３０の内周側部分を形成する第２縁部とを備えるディスプレイ装置とした。【選択図】図２
2019014350.tif 000002
【特許請求の範囲】
【請求項１】
表示領域とおよびこの表示領域の外周を囲む外枠部を備えた表示パネルと、
前記表示パネルの正面方向を覆って設けられた透光性を有するフィニッシャパネルと、
前記フィニッシャパネルに設けられ、前記表示パネルの正面方向から見て前記表示パネルの表示領域を囲むよう配置して設けられた外周縁と、
を備え、
前記外周縁は、前記フィニッシャパネルの表面に設けられて前記外周縁の外周側部分を形成する第１縁部と、前記フィニッシャパネルの裏面に設けられて前記外周縁の内周側部分を形成する第２縁部とを備えるディスプレイ装置。
【請求項２】
請求項１に記載のディスプレイ装置において、
前記表示パネルと前記フィニッシャパネルとが間隔を空けて配置されているディスプレイ装置。
【請求項３】
請求項１または請求項２に記載のディスプレイ装置において、
前記フィニッシャパネルは、前記表示パネルに対して前記表示領域の内側ほど前記表示パネルから離れるように傾斜して配置された傾斜部を備え、
前記外周縁は、前記傾斜部に設けられているディスプレイ装置。
【請求項４】
請求項１〜請求項３のいずれか１項に記載のディスプレイ装置において、
前記第１縁部は、前記フィニッシャパネルを正面から見たときに、前記フィニッシャパネルの外周縁から、前記外枠部の近傍もしくは前記外枠部に重なる位置までの範囲に設けられ、
前記第２縁部は、前記フィニッシャパネルを正面から見たときに、前記表示パネルの前記表示領域と前記外枠部との境界と、前記第１縁部の内周との間の位置から、前記第１縁部と重なる位置までの範囲に設けられているディスプレイ装置。
【請求項５】
請求項１〜請求項４のいずれか１項に記載のディスプレイ装置において、
前記外枠部は、前記表示領域の非表示時の色および輝度に略一致する色および輝度に設定されているディスプレイ装置。
【請求項６】
請求項５に記載のディスプレイ装置において、
前記外周縁の前記第２縁部は、前記フィニッシャパネルの正面から見た際の前記表示領域および前記外枠部と同色および同輝度に設定され、
前記外周縁の前記第１縁部は、前記フィニッシャパネルの正面から見た際の前記第２縁部と同色および同輝度に設定されているディスプレイ装置。
【請求項７】
請求項５に記載のディスプレイ装置において、
前記第２縁部は、前記外枠部よりも高輝度に設定され、
前記第１縁部は、前記第２縁部よりも高輝度に設定されているディスプレイ装置。
【請求項８】
請求項１〜請求項７のいずれか１項に記載のディスプレイ装置において、
前記外枠部、前記第１縁部、前記第２縁部は、黒色であるディスプレイ装置。
【請求項９】
請求項１〜請求項８のいずれか１項に記載のディスプレイ装置において、
前記フィニッシャパネルは、光の透過率を下げる加工が施されているディスプレイ装置。
【請求項１０】
請求項１〜請求項９のいずれか１項に記載のディスプレイ装置において、
前記第１縁部および前記第２縁部の内周縁部には、内側ほど光の遮蔽率を低下させたグラデーション部が設けられているディスプレイ装置。
【請求項１１】
請求項１〜請求項１１のいずれか１項に記載のディスプレイ装置において、
前記フィニッシャパネルには、タッチパネル機能が与えられているディスプレイ装置。
【発明の詳細な説明】
【技術分野】
【０００１】
本開示は、ディスプレイ装置に関する。
【背景技術】
【０００２】
従来、車両のメータ装置などにおいて、液晶パネルなどの表示パネルを用いたディスプレイ装置が用いられている。
また、このようなメータ装置では、表示パネルの正面をフィニッシャパネルで覆っており、表示パネルの表示領域が、その外側の背景部分との境界を視認させないようにして、表示領域と背景部分とが一体的に見えるように図ることが考えられている。
このような技術として、表示領域の黒輝度を、その周囲の背景部分の黒輝度の差が生じないように、光源の輝度を制御し、表示領域と背景枠との境界を視認させないようにしたものが知られている（例えば、特許文献１参照）。
【先行技術文献】
【特許文献】
【０００３】
【特許文献１】特開２０１６−３１４７８号公報
【発明の概要】
【発明が解決しようとする課題】
【０００４】
しかしながら、フィニッシャパネルに、表示領域の背景としてその外周を縁取って囲む外周縁を設けた場合、自然光による外周縁の影が、表示パネルの周縁上に生じる。この場合、表示領域に生じる影により表示領域の遠近感が強調され、その見え方に悪影響を与える。
【０００５】
本開示のディスプレイ装置は、上記問題に着目してなされたもので、フィニッシャパネルに設けた外周縁による影の面積を抑えて、表示パネルに与える遠近感を抑えることが可能なディスプレイ装置を提供することを目的とする。
【課題を解決するための手段】
【０００６】
本開示のディスプレイ装置は、表示パネルの表示領域および外枠部を囲むように、フィニッシャパネルに外周縁を備える。この外周縁は、フィニッシャパネルの表面に設けられて外周縁の外周側部分を形成する第１縁部と、フィニッシャパネルの裏面に設けられて外周縁の内周側部分を形成する第２縁部とを備える。
【発明の効果】
【０００７】
本開示のディスプレイ装置にあっては、フィニッシャパネルの表面のみに外周縁を設けた場合よりも、自然光により表示パネルに落ちる外周縁の影の面積を抑えることができる。これにより、外周縁の影による表示パネルの表示領域の遠近感を抑えることが可能となる。
【図面の簡単な説明】
【０００８】
【図１】実施の形態１のディスプレイ装置を備えた車両のインストルメントパネル１を示す正面図である。
【図２】実施の形態１のディスプレイ装置を示す断面図であって、図１のＳ２−Ｓ２線の位置での断面を示す。
【図３Ａ】実施の形態１のディスプレイ装置における液晶パネルと外周縁を正面から見た状態を示す正面図であって、自然光による外周縁の影が液晶パネルに落ちていない状態を示す図である。
【図３Ｂ】実施の形態１のディスプレイ装置における液晶パネルと外周縁を正面から見た状態を示す正面図であって、自然光による外周縁の影が液晶パネルに落ちた状態を示す図である。
【図３Ｃ】実施の形態１のディスプレイ装置との比較例の正面図であって、図３Ｂと同様に比較例において自然光による外周縁の影が液晶パネルに落ちた状態を示す図である。
【図４】実施の形態２のディスプレイ装置の要部を示す断面図である。
【発明を実施するための形態】
【０００９】
以下、本開示のディスプレイ装置の実施の形態を、図面に基づいて説明する。
（実施の形態１）
まず、実施の形態１のディスプレイ装置の構成を説明する。
図１は、実施の形態１のディスプレイ装置を備えた車両（自動車）のインストルメントパネル１を示す正面図である。
【００１０】
実施の形態１のディスプレイ装置は、車両のインストルメントパネル１において、車両に関連した情報を表示するコンビネーションメータ２の一部として設置されている。なお、コンビネーションメータ２は、運転席（不図示）の前方位置において運転席側を向いて設置されたもので、コンビネーションメータ２と運転席（不図示）との間には、ハンドル３が設けられている。
【００１１】
図２は、図１のＳ２−Ｓ２線の位置での断面を示す断面図であって、実施の形態１のディスプレイ装置は、液晶パネル（表示パネル）１０と、フィニッシャパネル２０と、外周縁３０とを備える。
【００１２】
液晶パネル１０は、インストルメントパネル１に設置されたケース４０の収容部４１に収容されている。なお、液晶パネル１０の矢印ＤＰにより示す表示方向が、運転席（不図示）の方向である。
【００１３】
また、液晶パネル１０は、図３Ａに示すように、正面から見て横長の長方形の板状に形成され、液晶素子（図示省略）を有する表示領域１１と、この表示領域１１の外周に四角枠状に設けられた非表示部分である外枠部１２と、を備える。なお、表示領域１１と外枠部１２との間に、表示部分と非表示部分との境界１３が、長方形状を成して設けられている。また、外枠部１２は、黒色に着色されているが、その詳細については後述する。
【００１４】
フィニッシャパネル２０は、液晶パネル１０の表示方向（矢印ＤＰ方向）に、液晶パネル１０との間に間隔Ｌを空けて配置され、ケース４０の周壁部４２に固定されている。このフィニッシャパネル２０は、ポリカーボネート樹脂などの透光性を有した樹脂製のパネルであり、液晶パネル１０を含み、コンビネーションメータ２の表示方向を覆って設けられている。
【００１５】
また、フィニッシャパネル２０は、表面２０ａに、反射防止加工により凹凸が形成された反射抑制部２０ｃを備え、裏面２０ｂには、ケース４０に固定するためのボス２１が突出して形成されている。
そして、フィニッシャパネル２０は、スモーク加工、すなわち、光の透過率を若干抑える加工が施されている。
【００１６】
さらに、フィニッシャパネル２０には、運転席側から見た際に、液晶パネル１０の表示領域１１の外周を囲む外周縁３０を備える。そして、本実施の形態１では、外周縁３０は、第１縁部３１と第２縁部３２とにより形成されている。
【００１７】
第１縁部３１は、フィニッシャパネル２０の表面２０ａに、黒色プリントを行うことで設けられている。そして、第１縁部３１は、その内周が、液晶パネル１０の表示方向（矢印ＤＰ方向）の直交方向で、液晶パネル１０の外周の位置Ｐ１の近傍に配置され、この位置Ｐ１から、フィニッシャパネル２０の外周縁までの範囲に亘って設けられている。
さらに、第１縁部３１の内周縁部には、外側ほど密で遮光性が高く、内側ほど疎となって遮光性が低くなったグラデーション部３１ａが形成されている。
【００１８】
第２縁部３２は、フィニッシャパネル２０の裏面２０ｂに黒色プリントや、あるいは黒色のテープなどを貼り付けて設けられている。そして、第２縁部３２は、外周縁が、第１縁部３１の内周よりも外側位置に配置され、内周縁が、第１縁部３１の内周の位置Ｐ１の近傍と、液晶パネル１０の境界１３（表示領域１１と外枠部１２との間）の位置Ｐ２との間の位置Ｐ３に配置されている。
また、第２縁部３２の内周にも、外側ほど密で遮光性が高く、内側ほど疎となって遮光性が低くなったグラデーション部３２ａが形成されている。
【００１９】
次に、外枠部１２、第１縁部３１、第２縁部３２の色について説明する。
外枠部１２、第１縁部３１、第２縁部３２は、それぞれ黒色に着色され、運転者側から見た場合に、同色に見えるように色が設定されているが、それぞれの輝度が異なって、すなわち、黒の濃さを異ならせて設定されている。
【００２０】
外枠部１２は、表示領域１１の非表示時の黒色と同色の黒に設定されている。本実施の形態１では、表示領域１１は、非表示時には、グレーがかった黒色に表示され、外枠部１２は、この黒色に輝度が一致するよう設定される。
【００２１】
次に、第１縁部３１、第２縁部３２の黒色の設定について説明する。
第１縁部３１、第２縁部３２は、フィニッシャパネル２０を介して見える表示領域１１および外枠部１２の黒色に一致するように、その黒色の輝度が設定されている。
【００２２】
すなわち、表示領域１１および外枠部１２と、フィニッシャパネル２０との間に、間隔Ｌが設定されているため、これらの間で光が乱反射する。また、フィニッシャパネル２０も、厚みを有し、パネル内で乱反射が生じる。これらの乱反射により、乗員側からフィニッシャパネル２０を介して見た表示領域１１および外枠部１２は、実際の黒色よりも、輝度が高く見える。
一方、フィニッシャパネル２０は、スモーク加工が施されている。このスモーク加工により、フィニッシャパネル２０を介して運転者側から見る色は、実際の色よりも輝度が低下して見える。
なお、本実施の形態１では、スモーク加工による輝度低下分よりも、乱反射による輝度上昇の方が高い関係になっている。
【００２３】
そこで、第１縁部３１、第２縁部３２の黒色の輝度は、上記の乱反射による影響およびスモーク加工による影響による輝度変化を測定し、この測定結果に応じて、その色（黒色）および輝度が設定されている。
【００２４】
具体的には、第２縁部３２は、表示領域１１および外枠部１２と同様に、フィニッシャパネル２０を介して見えるため、上記の乱反射による輝度上昇に応じて、輝度を設定する。したがって、第２縁部３２は、表示領域１１および外枠部１２よりも高輝度に設定することになる。
【００２５】
第１縁部３１は、フィニッシャパネル２０を介して見える、表示領域１１、外枠部１２および第２縁部３２と同色、同輝度に見えるように設定される。すなわち、表示領域１１および外枠部１２に対する乱反射による影響と、表示領域１１、外枠部１２および第２縁部３２に対するスモーク加工による輝度低下に応じて設定する。本実施の形態１では、スモーク加工による輝度低下は抑えて設定しているため、第２縁部３２は、第１縁部３１よりも若干輝度が高い黒色に設定されている。
【００２６】
（実施の形態１の作用）
次に、実施の形態１の作用について説明する。
まず、コンビネーションメータ２の正面（矢印ＤＰの方向）から液晶パネル１０を見た場合について説明する。
【００２７】
液晶パネル１０を正面から見た場合、液晶パネル１０の外周には、額縁状の外周縁３０により囲まれ、その内側に表示領域１１が見える。この場合、図３Ａに示すように、外周縁３０にあっては、第２縁部３２の内周縁が最も内側に配置され、その僅かに内側に境界１３が配置され、この境界１３の内側に表示領域１１が配置される。
したがって、図３Ａに示すように、第２縁部３２の内周縁と境界１３との間に、液晶パネル１０の外枠部１２が僅かに見える。
【００２８】
この場合、表示領域１１の非表示時には、表示領域１１の黒色と、外枠部１２の黒色とは、同一の色、輝度としているため、境界１３は、殆ど認識されることは無い。
さらに、額縁状の外周縁３０は、フィニッシャパネル２０を介して見える表示領域１１および外枠部１２の黒色と、同色に見えるようにその色が設定されているため、一体的に見え、外周縁３０と外枠部１２との境界も認識しにくい。よって、液晶パネル１０と外周縁３０、すなわち、フィニッシャパネル２０とが一体的に見えるという視覚効果が得られる。
【００２９】
なお、第１縁部３１の内周の位置Ｐ３は、境界１３の外側であるとともに、第２縁部３２の内側であるため、液晶パネル１０と一体的な表示が可能である。例えば、この第１縁部３１の内周の位置Ｐ３が、外枠部１２よりも外側に配置されていると、外枠部１２と外周縁３０との境界が目立ち、外枠部１２と外周縁３０との一体感が得られなくなる。
【００３０】
ところで、表示領域１１および外枠部１２の黒色は、コンビネーションメータ２の正面から見た際に、液晶パネル１０とフィニッシャパネル２０との間での乱反射により、実際の色よりも明るく（高輝度）に見える。
【００３１】
そのため、外周縁３０は、前述したように、見た目が表示領域１１および外枠部１２と同一の黒色となるように設定している。しかしながら、製造上のバラツキなどにより、外周縁３０の第１縁部３１および第２縁部３２の黒色と、表示領域１１および外枠部１２の黒色とが、若干異なる色（輝度）に見える可能性がある。
【００３２】
そこで、第２縁部３２の内周縁部に、グラデーション部３２ａを設けているため、上記の製造のバラツキにより、第２縁部３２と外枠部１２との視覚的に認識される色が異なっている場合でも、その違いの認識を抑え、両者の境界の認識を抑えることができる。
【００３３】
同様に、第１縁部３１の内周縁部にグラデーション部３１ａを設けているため、製造のバラツキなどにより、第１縁部３１と第２縁部３２とで視覚的に認識される色が異なっている場合でも、その違いの認識を抑え、両者の境界の認識を抑えることができる。
【００３４】
次に、自然光により生じる影が液晶パネル１０の見え方に与える影響について説明する。
コンビネーションメータ２に対して、外方から液晶パネル１０の方向に自然光が差し込んだ場合、外周縁３０による影ＳＨ１（図３Ｂ参照）が、液晶パネル１０上に生じる。
【００３５】
図２において、矢印ＯＰ１は、自然光の平均的な角度を示し、本実施の形態１では、矢印ＯＰ１の先端の位置Ｐ４に、影ＳＨ１（図３Ｂ参照）の内周縁が配置される。
なお、矢印ＯＰ１は、外周縁３０のうちで、最も内側に配置された第２縁部３２の内周縁を通る光を示す。
【００３６】
一方、矢印ＯＰ２は、本実施の形態１との比較例の外周縁の影ＳＨ２（図３Ｃ参照）の内周縁位置を示す。この比較例は、外周縁（３０）を、フィニッシャパネル２０の表面２０ａのみに形成したものである。すなわち、本実施の形態１の第１縁部３１を、第２縁部３２の内周位置の表示方向の位置Ｐ３まで延長させ、第２縁部３２は設けていない例である。この比較例では、第１縁部３１を位置Ｐ３まで延長させて生じる影ＳＨ２（図３Ｃ参照）が、本実施の形態１よりも内側の位置Ｐ５まで形成され、図３Ｂに示す影ＳＨ１よりも内側まで、表示領域１１を覆うことになる。
【００３７】
上述のように、図３Ｂでは、実施の形態１により生じる影ＳＨ１を示し、図３Ｃが比較例により生じる影ＳＨ２を示す。
図３Ｃに示すように、表示領域１１の外周よりも内側まで影ＳＨ２が生じると、図３Ａ、図３Ｂと比較して、表示領域１１において影ＳＨ２の内側の面積が狭まる。
【００３８】
このように、比較例により生じる影ＳＨ２は、その範囲が広く、表示領域１１がより狭くなるため、運転者から見ると、遠近感が強まり液晶パネル１０が遠くに奥まって見え、フィニッシャパネル２０との一体感が薄まり、違和感を与えるおそれがある。
これに対し、図３Ｂに示す本実施の形態１の影ＳＨ１は、比較例の影ＳＨ２よりもその範囲が狭く、境界１３の近傍に生じる。このため、影ＳＨ１による遠近感の強まりは生じにくく、表示領域１１とフィニッシャパネル２０との一体感を維持し、運転者に与える違和感を抑えることができる。
【００３９】
なお、第１縁部３１の内周の位置Ｐ３を、境界１３よりも外側に配置しているため、前述のように、外周縁３０と外枠部１２との一体感が得られるようにしつつ、影ＳＨ１における境界１３よりも内側の面積を抑えることができる。
【００４０】
また、黒色プリントによる外周縁（３０）を、フィニッシャパネル２０の裏面２０ｂのみに設けようとした場合、ボス２１を含んで、黒色プリント用の素材により形成する必要がある。この場合、成型装置の大型化あるいは大改良が必要になり、製造コストが大幅に増える。
【００４１】
以下に、実施の形態１のディスプレイ装置の効果を列挙する。
１）実施の形態１のディスプレイ装置は、
表示領域１１およびこの表示領域１１の外周を囲む外枠部１２を備えた表示パネルとしての液晶パネル１０と、
液晶パネル１０の正面方向を覆って設けられた透光性を有するフィニッシャパネル２０と、
フィニッシャパネル２０に設けられ、液晶パネル１０の正面方向から見て、液晶パネル１０の表示領域１１を囲むように配置して設けられた外周縁３０と、
を備え、
外周縁３０は、フィニッシャパネル２０の表面２０ａに設けられて外周縁３０の外周側部分を形成する第１縁部３１と、フィニッシャパネル２０の裏面に設けられて外周縁３０の内周側部分を形成する第２縁部とを備える。
したがって、フィニッシャパネル２０の表面２０ａのみに外周縁を設けた場合よりも、自然光により液晶パネル１０に落ちる外周縁３０の影ＳＨ１の面積を抑えることができる。これにより、外周縁３０の影ＳＨ１による液晶パネル１０の表示領域１１に対する遠近感の強調作用を抑え、遠近感による違和感を抑えることが可能となる。
【００４２】
２）実施の形態１のディスプレイ装置は、
液晶パネル１０とフィニッシャパネル２０とが間隔Ｌを空けて配置されている。
したがって、自然光による外周縁３０の影ＳＨ１の範囲が広くなる構造において、影ＳＨ１の範囲を抑え、上記の遠近感による違和感を抑える効果がいっそう顕著に得ることができる。
【００４３】
３）実施の形態１のディスプレイ装置は、
第１縁部３１は、フィニッシャパネル２０を正面から見たときに、フィニッシャパネル２０の外周縁から、外枠部１２の近傍もしくは外枠部１２に重なる位置までの範囲に設けられ、
第２縁部３２は、フィニッシャパネル２０を正面から見たときに、液晶パネル１０の表示領域１１と外枠部１２との境界１３と第１縁部３１の内周（グラデーション部３１ａ）との間の位置から、第１縁部３１と重なる位置までの範囲に設けられている。
したがって、フィニッシャパネル２０では、運転席方向の正面から見たときにその外周縁から液晶パネル１０の部分まで、外周縁３０が形成され、外周縁３０と液晶パネル１０との一体的な表示が可能となる。
しかも、第２縁部３２の内周は、境界１３と第１縁部３１の内周との間に配置したため、液晶パネル１０との一体性を確保しつつ、自然光により生じる外周縁３０の影ＳＨ１の範囲を抑えることができる。すなわち、第２縁部３２の内周を、境界１３よりも内側に配置すると、影ＳＨ１の範囲が表示領域１１の内側まで含まれることになる。また、第２縁部３２の内周を、外枠部１２よりも外側に配置すると、外周縁３０と液晶パネル１０との一体性が無くなる。
【００４４】
４）実施の形態１のディスプレイ装置は、
外枠部１２は、表示領域１１の非表示時の色および輝度に略一致する色および輝度に設定されている。
したがって、表示領域１１と外枠部１２との境界１３を視認しにくくなり、表示領域１１をフィニッシャパネル２０と一体的に表示することができる。
【００４５】
５）実施の形態１のディスプレイ装置は、
外周縁３０の第２縁部３２は、フィニッシャパネル２０の正面から見た際の表示領域１１および外枠部１２と同色の黒色および同輝度に設定され、
外周縁３０の第１縁部３１は、フィニッシャパネル２０の正面から見た際の第２縁部３２と同色の黒色および同輝度に設定されている。
したがって、表示領域１１と外枠部１２との境界１３、外枠部１２と第２縁部３２との境界、第２縁部３２と第１縁部３１との境界を視認しにくくなり、表示領域１１をフィニッシャパネル２０と一体的に表示することができる。
【００４６】
６）実施の形態１のディスプレイ装置は、
第２縁部３２は、外枠部１２よりも高輝度に設定され、
第１縁部３１は、第２縁部３２よりも高輝度に設定されている。
フィニッシャパネル２０の内側の液晶パネル１０は、フィニッシャパネル２０との乱反射により、実際の色よりも輝度が高くなる傾向にある。
したがって、第２縁部３２を外枠部１２よりも高輝度に設定することで、両者の実際に見える色を同輝度とすることが可能になり、両者の間の境界を視認しにくくなる。
同様に、第２縁部３２は、フィニッシャパネル２０による乱反射により実際の色よりも輝度が高くなる傾向にある。そこで、第１縁部３１を第２縁部３２よりも高輝度に設定することで、両者の実際に見える色を同輝度とすることが可能になり、両者の間の境界を視認しにくくなる。
すなわち、上記５）の効果を具体的に達成することができる。
【００４７】
７）実施の形態１のディスプレイ装置は、
外枠部１２、第１縁部３１、第２縁部３２は、黒色である。
したがって、表示領域１１の外周に、黒色の外周縁を形成することができる。特に、表示領域１１の非表示時には、全体を黒色表示し、表示領域１１とフィニッシャパネル２０との一体感を演出できる。
【００４８】
８）実施の形態１のディスプレイ装置は、
フィニッシャパネル２０は、光の透過率を下げる加工であるスモーク加工が施されている。
したがって、表示領域１１、外枠部１２、第２縁部３２に製造上の色のばらつきが生じた場合でも、見た目の色のばらつきを抑えることができる。これにより、表示領域１１と外枠部１２との境界１３、外枠部１２と第２縁部３２との境界が視認しにくくなり、表示領域１１とフィニッシャパネル２０と一体的な表示が可能となる。
【００４９】
９）実施の形態１のディスプレイ装置は、
第１縁部３１および第２縁部３２の内周縁部には、内側ほど光の遮蔽率を低下させたグラデーション部３１ａ，３２ａが設けられている。
したがって、外枠部１２、第２縁部３２、第１縁部３１に製造上の色のばらつきが生じた場合でも、見た目の色のばらつきを抑えることができる。これにより、外枠部１２と第２縁部３２との境界、第２縁部３２と第１縁部３１との境界が視認しにくくなり、表示領域１１とフィニッシャパネル２０と一体的な表示が可能となる。
【００５０】
（他の実施の形態）
次に、本開示の他の実施の形態について説明する。
なお、他の実施の形態の説明において、他の実施の形態と共通する構成には当該実施の形態と同じ符号を付して説明を省略し、当該実施の形態との相違点のみ説明する。
【００５１】
（実施の形態２）
次に、実施の形態２のディスプレイ装置について説明する。
実施の形態２にディスプレイ装置は、図４に示すように、液晶パネル１０に対して、フィニッシャパネル２２０が傾斜した部分を備えている例である。
すなわち、実施の形態２では、コンビネーションメータのフィニッシャパネル２２０が液晶パネル１０に対して凹凸を有する形状にデザインし、フィニッシャパネル２２０の外周縁２３０を有した部分が液晶パネル１０に対して傾斜して配置されている。なお、この場合、フィニッシャパネル２２０は、液晶パネル１０に対して、全体が傾斜していてもよいし、一部のみが傾斜していてもよい。要は、フィニッシャパネル２２０において、外周縁２３０が配置されている部分が傾斜している例である。
【００５２】
実施の形態２において、外周縁２３０を形成する第１縁部２３１および第２縁部２３２は、その内周縁の液晶パネル１０の表示方向の直交方向位置は、実施の形態１と同様に配置したものとする。
具体的には、図４において、第１縁部２３１の内周は、位置Ｐ２１に配置されている。第２縁部２３２の内周は、位置Ｐ２３に配置されている。表示領域１１と外枠部１２との境界１３は、位置Ｐ２３の内側の位置Ｐ２２に配置されている。
【００５３】
このように構成された実施の形態２のディスプレイ装置では、フィニッシャパネル２２０の表面２０ａでは、外周縁から内側に向かうほど、液晶パネル１０との間隔（Ｌ）が拡がる。
【００５４】
ここで、まず、実施の形態１で説明した比較例と同様に、実施の形態２との比較例として、第１縁部２３１の内周の位置を、第２縁部２３２の内周縁の位置Ｐ２３に配置した場合について説明する。
【００５５】
この比較例では、位置Ｐ２３まで第１縁部２３１を延長した場合に生じる影の内周部分は、位置Ｐ２５に配置される。したがって、この場合の影は、液晶パネル１０の境界１３よりも内側の表示領域１１の範囲が大きく含まれる。
【００５６】
それに対し、実施の形態２では、外周縁３０の影の内周縁は、第２縁部２３２の内周縁により生じるため、その位置は、位置Ｐ２４となり、比較例の影よりも影の範囲を大幅に狭めることができる。
【００５７】
よって、実施の形態１と同様に、影の範囲を抑えることができ、液晶パネル１０が奥まって見える違和感が生じるのを抑えることができる。特に、実施の形態２では、フィニッシャパネル２２０が傾斜していることにより、外周縁２３０の影が液晶パネル１０の内側まで生じやすいため、この効果が顕著になる。
【００５８】
以下に、実施の形態２のディスプレイ装置の効果を説明する。
2-1）実施の形態２のディスプレイ装置は、
フィニッシャパネル２２０は、液晶パネル１０に対して表示領域１１の内側ほど液晶パネルから離れるように傾斜して配置された傾斜部を備え、
外周縁２３０は、傾斜部に設けられている。
したがって、フィニッシャパネル２２０が、外周縁を設けた場合に影が液晶パネル１０の内側まで生じやすい傾斜部を備えた構成において、外周縁２３０の影の領域を抑え、影による遠近感の強調作用を抑え、遠近感による違和感を抑えることが可能となる。
また、上記１）〜９）の効果も同様に奏する。
【００５９】
（実施の形態３）
次に、実施の形態３のディスプレイ装置について説明する。
この実施の形態３を説明するにあたり、具体的な図示は省略し、図２に基づいて説明する。
この実施の形態３では、図２に示すフィニッシャパネル２０の表面２０ａの反射抑制部２０ｃに替えてタッチパネルを設けた例である。
【００６０】
このように、フィニッシャパネル２０の表面２０ａにタッチパネルを設けた場合、運転者の操作のために、フィニッシャパネル２０を運転者に、できるだけ近付けた方が好ましい。このように、フィニッシャパネル２０を運転者に近付けて配置すると、液晶パネル１０とフィニッシャパネル２０との間隔Ｌが大きくなり、この場合、外周縁３０による影ＳＨ１が、表示領域１１の内側のより広い範囲まで生じやすい。このため、上記２）の効果がより顕著となる。
【００６１】
以下に、実施の形態３のディスプレイ装置の効果を説明する。
3-1）実施の形態３のディスプレイ装置は、
フィニッシャパネル２０には、タッチパネル機能が与えられている。
したがって、フィニッシャパネル２０と液晶パネル１０との間隔Ｌが広がり易く、外周縁３０による影により液晶パネル１０の遠近感が強調されやすいい構成において、影の範囲を抑え、それによる遠近感の強調作用による違和感を抑制できる。
【００６２】
以上、本開示のディスプレイ装置を実施の形態に基づき説明してきたが、具体的な構成については、この実施の形態に限られるものではなく、特許請求の範囲の各請求項に係る発明の要旨を逸脱しない限り、設計の変更や追加等は許容される。
【００６３】
例えば、実施の形態では、ディスプレイ装置として、車両用、特に自動車用のコンビネーションメータを示したが、これに限定されない。車両として、自動車以外の車両に用いることができる。また、車両用のメータ以外にも、種々の制御装置の制御操作を行うためのディスプレイ装置にも適用することができる。
さらに、実施の形態では、表示パネルとして液晶パネルを示したが、パネル状の表示装置であれば、これに限定されない。例えば、プラズマディスプレイ、有機ＥＬ（ Electro-Luminescence ）、ＬＥＤ（light emitting diode）ディスプレイ、電界放出型ディスプレイ(FED : Field Emission Display)などを用いることができる。
【００６４】
また、実施の形態では、表示パネルとフィニッシャパネルとが間隔を空けて配置されているものを示したが、これに限定されるものではない。例えば、フィニッシャパネルがある程度厚みを有するものであれば、外周縁による影の範囲を抑制する効果が得られるものであり、特に、フィニッシャパネルが傾斜していれば、その効果は顕著である。
【００６５】
また、実施の形態では、外枠部および外周縁を黒色としたものを示したが、これに限定されない。例えば、フィニッシャパネル自体を着色した場合、フィニッシャパネルの正面側から見た場合の非表示時の表示領域の色は、フィニッシャパネルの色の傾向が強くなる。したがって、その場合、外周縁は、表示領域および外枠部の実際に見える色に応じた色とするのが好ましく、フィニッシャパネルの着色に応じ、青色、紺色、緑色などの黒以外の色に設定してもよい。
【００６６】
また、実施の形態では、外周縁の第２縁部の内周位置を、フィニッシャパネルの正面方向から見た場合に、表示領域と外枠部との境界よりも外側に配置したが、これに限定されず、例えば、境界に一致する位置や、その内側となるように配置してもよい。この場合、正面から見た際の表示領域の面積が減るが、影の範囲を抑える効果が得られる。また、この場合、外枠部は、その色および輝度を表示領域の非表示時の色および輝度と一致させなくてもよい。
さらに、第１縁部の内周の位置は、フィニッシャ正面から見て、外枠部よりも外側に配置してもよい。
【００６７】
また、実施の形態では、外周縁の第２縁部を、フィニッシャパネルの正面から見た際の表示領域および外枠部と同色および同輝度に設定した。また、外周縁の第１縁部を、フィニッシャパネルの正面から見た際の第２縁部と同色および同輝度に設定するのにあたり、第２縁部を、外枠部よりも高輝度に設定し、第１縁部を、第２縁部よりも高輝度に設定した。しかしながら、これらに限定されるものではなく、例えば、フィニッシャパネルが、通過する色の輝度を大幅に低下させる加工が施されている場合には、第２縁部を、外枠部よりも高輝度に設定する一方で、第１縁部を、第２縁部よりも低輝度に設定することもあり得る。
【００６８】
さらに、実施の形態では、フィニッシャパネルに光の透過率を下げるスモーク加工を施した例を示したが、これに限定されるものではなく、光の透過率を下げる加工を行わなくてもよい。同様に、実施の形態では、第１縁部および第２縁部の内周縁部に、内側ほど光の遮蔽率を低下させたグラデーション部を設けたが、このグラデーション部を設けない構成としてもよい。
【符号の説明】
【００６９】
１０   液晶パネル（表示パネル）
１１   表示領域
１２   外枠部
１３   境界
２０   フィニッシャパネル
２０ａ 表面
２０ｂ 裏面
２０ｃ 反射抑制部（タッチパネル）
３０   外周縁
３１   第１縁部
３１ａ グラデーション部
３２   第２縁部
３２ａ グラデーション部
２２０ フィニッシャパネル
２３０ 外周縁
２３１ 第１縁部
２３２ 第２縁部
【図１】
2019014350.tif 000003
【図２】
2019014350.tif 000004
【図３Ａ】
2019014350.tif 000005
【図３Ｂ】
2019014350.tif 000006
【図３Ｃ】
2019014350.tif 000007
【図４】
2019014350.tif 000008